(57)【要約】【課題】  簡易且つ低コストであって、ミネラル成分による生理機能の活性効果等を得られる簡易石風呂装置を提供する。【解決手段】  本簡易石風呂装置１は、冷凍用コンテナ２の床の凸条２２間に温水管３が配設され、該温水管３に適温の温水を循環供給するボイラー５が設けられ、基層４０及び鉱物層４１を有する温浴積層体４が前記凸条２２に担持されている。本簡易石風呂装置１は、石風呂の建設のために基礎となるコンクリートの打設や温水管の埋設等の工事が不要であり、また、工場等で冷凍用コンテナ２に温水管３及び温浴積層体４等を配設して現場へ搬入可能なので、現場での施工期間が短くなる。これにより、石風呂装置を簡易且つ低コストに実現できる。【選択図】図２
2005066143.tif 000002
【特許請求の範囲】
【請求項１】
壁、床及び天井に断熱材が配設された移動可能な断熱性筐体の床に、凸条が所定間隔で列設され、該凸条間に温水管が配設され、該温水管に適温の温水を循環供給する温水循環手段が設けられ、基層及び鉱物層を有する温浴積層体が前記凸条に担持されて前記断熱性筐体の床面をなすことを特徴とする簡易石風呂装置。
【請求項２】
前記断熱性筐体が冷凍用コンテナであることを特徴とする請求項１記載の簡易石風呂装置。
【請求項３】
前記断熱性筐体の屋内に水蒸気を供給する水蒸気供給手段が設けられたことを特徴とする請求項１又は２記載の簡易石風呂装置。
【請求項４】
前記鉱物層の下方に遠赤外線効果マットを積層したことを特徴とする請求項１乃至３のいずれかに記載の簡易石風呂装置。
【発明の詳細な説明】
【技術分野】
【０００１】
本発明は、天然鉱石の有する各種作用を温浴により効果的に得ることができる石風呂に関する。
【背景技術】
【０００２】
温泉は、健康の維持増進や体調不良の改善、病気の療養に利用されている。これは、温泉が含有するミネラル成分が人体の様々な生理機能を高めたり、発汗により体内の老廃物が排出されることによる効果や、精神的なくつろぎによる効果を期待するものである。しかし、温泉を造るには、ボーリング等の大規模な工事を必要とし、また、利用者も温泉地まで出かけなければならない。
【０００３】
これに対し、大規模な工事を必要とせず、また、利用者が温泉地のような遠方にまで出かけることなく、温泉と同様の効果が得られるものとして石風呂装置が考案されている。この石風呂装置は、風呂場となる建物の床に温水管を埋設したモルタル層を設け、該モルタル層に、砂利及び炭を混合した温浴層を積層して、ボイラーから温水管に８０℃程度の温水を供給することにより、風呂場内の温度を約４０〜４２℃にして温浴できるようにしたものである。このような石風呂装置によれば、入浴者が温浴層に寝転がることにより、砂利の凹凸による指圧マッサージ的な刺激と炭からの遠赤外線効果等を受けながら温浴できる（特許文献１参照）。
【０００４】
【特許文献１】特許第３３９６７７６号公報
【発明の開示】
【発明が解決しようとする課題】
【０００５】
しかし、前記石風呂装置であっても、建物の床に温水管を埋設する必要があり、石風呂装置のために新規な建物を建設したり既存の風呂場を改築することは簡易な工事ではない。従って、温泉のようにボーリング等の大規模な工事が不要となっても、石風呂装置の建設のための期間や工事費用は必ずしも安価ではなく、石風呂を誰もが気軽に楽しむためには、工事期間やコストを一層低減するとともに、建設場所を選ばないものが望まれる。また、前記石風呂装置では、指圧的な刺激や遠赤外線作用による発汗等の効果は得られるものの、温泉が含有するミネラル成分による効果は得られないという欠点もある。
【０００６】
本発明は、かかる課題を解決すべくなされたものであり、簡易且つ低コストであって、ミネラル成分による生理機能の活性効果等を得られる簡易石風呂装置を提供することを目的とする。
【課題を解決するための手段】
【０００７】
本発明に係る簡易石風呂装置は、壁、床及び天井に断熱材が配設された移動可能な断熱性筐体の床に、凸条が所定間隔で列設され、該凸条間に温水管が配設され、該温水管に適温の温水を循環供給する温水循環手段が設けられ、基層及び鉱物層を有する温浴積層体が前記凸条に担持されて前記断熱性筐体の床面をなすことを特徴とする。
【０００８】
また、本発明は、前記断熱性筐体が冷凍用コンテナであることを特徴とする。
【０００９】
また、本発明は、前記断熱性筐体の屋内に水蒸気を供給する水蒸気供給手段が設けられたことを特徴とする。
【００１０】
また、本発明は、前記鉱物層の下方に遠赤外線効果マットを積層したことを特徴とする。
【発明の効果】
【００１１】
本発明によれば、移動可能な断熱性筐体の床に温水管及び温浴積層体等を配設したので、石風呂の建設のために基礎となるコンクリートの打設や温水管の埋設等の工事が不要であり、また、工場等で断熱性筐体に温水管及び温浴積層体等を配設して現場へ搬入可能なので、現場での施工期間が短くなる。これにより、石風呂装置を簡易且つ低コストに実現できる。また、温浴積層体に鉱物層を設けることにより、鉱物に含まれる各種ミネラルによる生理機能の活性効果が得られる。
【００１２】
また、前記断熱性筐体として冷凍用コンテナを利用することにより、簡易石風呂装置を簡易且つ低コストで実現することができる。
【００１３】
また、水蒸気供給手段により前記断熱性筐体内に水蒸気を供給することにより、水蒸気や霧状の水が温浴積層体の鉱物層と接触して活性化され、該活性化された水により入浴者の生理機能が活性化される。また、鉱物層の各種ミネラルが水に溶出し、該水が入浴者の皮膚等に接触することにより採り込まれて、人体の酵素活性を高めたり酸化還元反応を促進できる。
【００１４】
また、遠赤外線効果マットから発せられる遠赤外線により、入浴者の血行を促進できる。
【発明を実施するための最良の形態】
【００１５】
図１は、本発明に係る簡易石風呂装置１の外観図であり、図２は、縦断面図であるが、本簡易石風呂装置１は、図に示すように、冷凍用コンテナ２の床に温水管３が配設され、更に該温水管３の上方に温浴積層体４が敷設されており、冷凍用コンテナ２の外部に設けられたボイラー５から前記温水管３に適温の温水が供給されるものである。
【００１６】
冷凍用コンテナ２は、船舶や車両等に積載して移動可能な大きさの筐体であり、屋内に十数人が入れる程度のものが主であるが、大きさは用途にあわせて適宜変更できる。冷凍用コンテナ２の壁には荷物搬入用の扉２０が設けられており、該扉２０を出入口として使用する。図２に示すように、冷凍用コンテナ２の壁、床及び天井の内部には断熱材２１が設けられており、冷凍用コンテナ２の屋内の保温性が高められている。該断熱材２１は発泡合成樹脂等の周知の断熱材である。また、冷凍用コンテナ２内には、内部の換気のための換気口が適宜設けられている。なお、冷凍用コンテナ２の内部に化粧内壁ボード等を貼設して所望の内装とすることも可能であり、また、壁に開口を形成して窓を取り付けるようにしてもよい。
【００１７】
冷凍用コンテナ２の床には、図３及び図４に示すように、凸条２２が所定間隔で列設されている。該凸条２２は断面がＴ字の形状であり、その上面で前記温浴積層体４を支持するものである。また各凸条２２間には前記温水管３が配設される。凸条２２の高さ及び間隔は、２〜１０センチメートル程度、間隔は凸条２２の中心間が約１０センチメートル程度であり、温水管３の径は１６〜２０ミリメートル程度である。また、凸条２２間に適宜配設される温水管３は温水を循環できる一連のものなので、凸条２２には適宜切欠き２３を形成し、該切欠き２３を通じて温水管３を他の凸条２２間へ連続して配置できるものとする。なお、本実施の形態では、凸条２２を断面Ｔ字の形状としたが、例えば断面形状を矩形とする等、凸条２２の形状は変更可能である。また、図には示していないが、冷凍用コンテナ２の床には、排水用のドレインが適宜設けられている。
【００１８】
温水管３は、図３及び図４に示すように前記凸条２２間に配設されており、ボイラー５から温水が循環供給されることにより温浴積層体４を加温する。温水管３は、温水を流通可能な管状のものであれば材質等は特に限定されないが、凸条２２間への配設の容易性を考慮すると塩化ビニル管等の可撓性のものが好適である。図５は、温水管３の配置例を示す平面図であるが、図に示すように、温水管３が凸条２２管を蛇行するようにして、冷凍用コンテナ２の床面に略均等に配置されており、ボイラー５に接続された温水管３は途中で２本に分岐され、一方が床面の右半分に他方が左半分に凸条２２間を蛇行するように配置され、再び１本に結合してボイラー５に接続されており、これにより、ボイラー５から供給された温水を床面に均一に循環させて、床面の温度差を生じ難くしている。なお、このような温水管３の配置は一例であり、温浴積層体４への加温を均等且つ迅速にするために、温水管３の本数を増やしたり循環経路を変更してもよい。
【００１９】
また、前記温水管３を配置するために、図３及び図４に示すように、隣合う凸条２２間に渡って支持板３０が設けられている。支持板３０は中央部３０ａがドーム状に湾曲したものであり、該中央部３０ａを凸条２２間に嵌めるようにして、両端部３０ｂを凸条２２の上面に担持させることにより、凸条２２間に架設される。該支持板３０はアルミニウム板から形成されており、温水管３を支持するとともに、温水管３からの温浴積層体４への放熱効果を高めている。
【００２０】
温浴積層体４は、図３及び図４に示すように、基層４０に鉱物層４１が積層されてなる。基層４０は、鉱物層４１を形成するためのものであり、金属板や木製ボード、プラスチックボード等を用いることができる。鉱物層４１は、天然鉱石を適当な大きさに粉砕してモルタル等により固着したものであり、天然鉱石としては、花崗岩や安山岩、トルマリン等、人体の生理機能を活性化する効果があるものを用途に応じて適宜組み合わせて用いる。このような天然鉱石に含まれる各種ミネラルの結晶は微振動を起こしており、この振動エネルギーが人体の生理機能を活性化する。また、水蒸気や室内に浮遊した霧状の水と鉱物層４１とが接触することにより水が活性化され、その活性化された水に接触することにより入浴者の生理機能が活性化される。さらには、前記水が鉱物層４１と接触する際に、鉱物層４１の天然鉱石中に含まれる各種ミネラルが該水に溶出され、入浴者の皮膚を通じて各種ミネラルが人体に採り込まれる。これらミネラルは、人体の有する酵素活性を高めたり、酸化還元反応を促進する。
【００２１】
また、鉱物層４１の表面は、天然鉱石による凹凸形状となっており、該凹凸形状が入浴者の人体を刺激して血行を促進する。このような凹凸形状を指圧マッサージのような刺激とするために、天然鉱物以外の栗状の石を鉱物層４１に混入してもよい。また、温浴積層体４には、更に他の層を積層することも可能であり、例えば図６に示すように、鉱物層４１の下方に遠赤外線を発する遠赤外線効果マット４２を積層すれば、前述したミネラルの効果等に加えて、入浴者の血行を促進できる。なお、鉱物層４１に炭を混ぜることにより同様の遠赤外線効果を発揮させることも可能である。
【００２２】
ボイラー５は、図１に示すように、冷凍用コンテナ２の外部に取り付けられており、前記温水管３に温水を供給するとともに、冷凍用コンテナ２内に水蒸気を供給するものである。図には示していないが、該ボイラー５に温水を適温に調整する調整タンクと、該温水を温水管３へ順間供給するためのポンプとが接続されて温水供給手段を構成する。このような温水供給手段は、周知且つ任意の構成をとり得る。
【００２３】
また、ボイラー５の温水を更に加熱して水蒸気を発生させ、該水蒸気を冷凍用コンテナ２の屋内に通ずるパイプを介して屋内に吹き込むようにして水蒸気供給手段を構成する。このような水蒸気供給手段は、例えば冷凍用コンテナ２の冷凍装置を取り外し、冷風供給用のパイプやファンを利用して簡易且つ低コストで実現するコとが可能である。
【００２４】
このように構成された簡易石風呂装置１によれば、ボイラー５から温水管３へ適温の温水を循環供給することで温浴積層体４が加温されて、冷凍用コンテナ２内の室温も上がる。温浴積層体４及び冷凍用コンテナ２の屋内には温度センサを設けて、これらの温度が所望の温度になるように、ボイラー５から供給される温水の温度や循環を制御する。また、ボイラー５から冷凍用コンテナ２内へ水蒸気が供給されて屋内の湿度が上がるが、該湿度も湿度センサにより管理して水蒸気の供給を制御する。入浴者は、温浴積層体４上に寝転がる或いは座ることにより温浴でき、鉱物層４１の凹凸形状による刺激を受けながら発汗し、血行促進等の効果を得る。また、温浴積層体４の鉱物層４１に含まれる各種ミネラルの作用や活性化された水の作用により、入浴者の生理機能が活性化される。
【００２５】
また、簡易石風呂装置１は、土地に定着されたものではなく、冷凍用コンテナ２を一単位として移動できるので、簡易石風呂装置１を工場等で製造し、設置現場まで車両等に積載して運搬可能である。これにより、簡易石風呂装置１を建設するための工事期間やコストを一層低減できる。また、簡易石風呂装置１を一単位として、複数の簡易石風呂装置１を並設することにより規模の拡大が容易であり、縦積みにすることもできるので狭小地にも建設できる。また、本簡易石風呂装置１は車両等を用いて移動可能であり設置も容易であるから、例えば海水浴場やスキー場近隣の遊休地等において夏や冬のシーズンのみ設置して利用したり、イベント会場等に設置して温浴体験してもらうことが容易なので、遠方に出かけなくても近隣で気軽に楽しめる石風呂が実現可能であり、石風呂の普及が期待できる。
【００２６】
なお、本実施の形態に係る簡易石風呂装置１では、移動可能な断熱性筐体として冷凍用コンテナを利用したが、例えばユニットハウスの壁、床及び天井に断熱材を配設する等、冷凍用コンテナ以外の構成により実現することも可能である。
【産業上の利用可能性】
【００２７】
本発明は、移動可能な簡易石風呂装置として利用することができる。
【図面の簡単な説明】
【００２８】
【図１】本実施の形態に係る簡易石風呂装置１の外観構成を示す概略斜視図である。
【図２】簡易石風呂装置１の縦断面図である。
【図３】簡易石風呂装置１の床の拡大断面図である。
【図４】簡易石風呂装置１の床の拡大斜視図である。
【図５】温水管３の配置例を示す平面図である。
【図６】温浴積層体４の変形例を示す拡大断面図である。
【符号の説明】
【００２９】
１  簡易石風呂装置
２  冷凍用コンテナ
３  温水管
４  温浴積層体
５  ボイラー
２１  断熱材
２２  凸条
４０  基層
４１  鉱物層
４２  遠赤外線効果マット
【図１】
2005066143.tif 000003
【図２】
2005066143.tif 000004
【図３】
2005066143.tif 000005
【図４】
2005066143.tif 000006
【図５】
2005066143.tif 000007
【図６】
2005066143.tif 000008